(57)【要約】【課題】誤操作防止機能及びフールセーフ機能を付与するとともに、簡単、安価な構造とする。【解決手段】中央部９ａの水平方向両側に側部９ｂを設けたコ字状の誤操作防止部材９の中央部９ａに挿通孔９ｃを設け、波型ロッカースイッチ１を、スイッチ部３の上側を押圧すると電源がオンになるとともに、スイッチ部３の下側を押圧すると電源がオフとなるように誤操作防止部材９の挿通孔９ｃに挿通して取付部材８の取付孔８ａに取り付ける。又、誤操作防止部材９の両側部９ｂには操作ロックバー１０を回動自在にかつ自重により波型ロッカースイッチ１のオン操作部分３ａを覆う位置となるように取り付け、波型ロッカースイッチ１のオン操作時には操作ロックバー１０を押し上げる。【選択図】図１
2006216484.tif 000002
【特許請求の範囲】
【請求項１】
中央部の水平方向両側に側部を有するコ字状に形成され、中央部に挿通孔を有する誤操作防止部材と、スイッチ部の上側を押圧すると電源がオンになるとともに、スイッチ部の下側を押圧すると電源がオフになるように誤操作防止部材の挿通孔に挿通して取付部材の取付孔に取り付けられた波型ロッカースイッチと、誤操作防止部材の両側部に回動自在にかつ自重又はばね力により波型ロッカースイッチのオン操作部分を覆う位置となるように取り付けられた操作ロックバーとを備え、波型ロッカースイッチのオン操作時には操作ロックバーを押し上げるようにしたことを特徴とする電源スイッチの誤操作防止装置。
【請求項２】
中央部の水平方向両側に側部を有するコ字状に形成され、中央部に挿通孔を有する誤操作防止部材と、スイッチ部の上側又は下側を押圧することにより電源をオンオフするように誤操作防止部材の挿通孔に挿通して取付部材の取付孔に取り付けられた波型ロッカースイッチと、誤操作防止部材の両側部に回動自在にかつ自重又はばね力により波型ロッカースイッチのオン又はオフ操作部分の一方を覆う位置となるように取り付けられた第１の操作ロックバーと、誤操作防止部材の両側部に回動自在にかつばね力により波型ロッカースイッチのオン又はオフ操作部分の他方を覆う位置となるように取り付けられた第２の操作ロックバーとを備え、波型ロッカースイッチのオン又はオフ操作時には第１又は第２の操作ロックバーを押し上げ又は押し下げるようにしたことを特徴とする電源スイッチの誤操作防止装置。
【請求項３】
中央部の水平方向両側に円弧状の側部を有するコ字状に形成され、中央部に挿通孔を有する誤操作防止部材と、スイッチ部の上側又は下側を押圧することにより電源をオンオフするように誤操作防止部材の挿通孔に挿通して取付部材の取付孔に取り付けられた波型ロッカースイッチと、誤操作防止部材の両側部に回動自在にかつ該両側部といずれの位置でも係止可能に取り付けられ、波型ロッカースイッチのオン又はオフ操作部分の一方を覆う操作ロックバーとを備え、波型ロッカースイッチのオン又はオフ操作時には操作ロックバーを押し上げ又は押し下げるようにしたことを特徴とする電源スイッチの誤操作防止装置。
【請求項４】
中央部の水平方向両側に側部を有するコ字状に形成され、中央部に挿通孔を有する誤操作防止部材と、スイッチ部の上側又は下側を押圧することにより電源をオンオフするように誤操作防止部材の挿通孔に挿通して取付部材の取付孔に取り付けられた波型ロッカースイッチと、誤操作防止部材の両側部に設けた上下方向のスライド溝に上下動自在にかついずれの位置でも係止可能に設けられ、波型ロッカースイッチのオン又はオフ操作部分の一方を覆うスライド式操作ロックバーとを備え、波型ロッカースイッチのオン又はオフ操作時にはスライド式操作ロックバーを押し上げ又は押し下げるようにしたことを特徴とする電源スイッチの誤操作防止装置。
【発明の詳細な説明】
【技術分野】
【０００１】
この発明は、電子機器や電子装置等の電源スイッチの誤操作防止装置に関するものである。
【背景技術】
【０００２】
現在、情報処理装置や通信制御装置などの電子機器の多くは、電源をオンオフ（投入／切断）するための電源スイッチを有している。通常、単純なオンオフ機能だけが要求される場合には、電源スイッチとして、トグルスイッチ、プッシュスイッチ、キースイッチ、波型ロッカースイッチ等が用いられる。
【０００３】
所謂、制御盤や制御卓に組み込まれる場合には、電源スイッチとして、トグルスイッチ、プッシュスイッチ、キースイッチ等が用いられることが多いが、ＯＡ機器や情報処理、通信制御機器などの一般の事務所等に設置される機器の場合には、その外観、構造、サイズなどの点で、波形ロッカータイプのスイッチが使用されることが圧倒的に多い。標準的な市販されている電源用波型ロッカースイッチの例を図７に示す。（ａ），（ｂ）は波型ロッカースイッチ１の斜視図であり、（ｃ）は平面図、（ｄ）は正面図、（ｅ）は側面図である。図において、２は直方体状の本体部、３はスイッチ部、４は接続端子である。
【０００４】
上述の通り、波型ロッカースイッチ１は、情報機器等の電源オンオフ機構に標準的に用いられ、波型ロッカースイッチ１は単純な電源のオンオフ操作のためには、突起部が少なく、美的にも優れていて、操作感も優しく、比較的安価であるという点で優れている。なお、ロッカースイッチに関しては、特許文献１及び特許文献２に記載されたものもある。
【特許文献１】特開平９−２１３１７４号公報
【特許文献２】特開２００２−８４９２号公報
【発明の開示】
【発明が解決しようとする課題】
【０００５】
しかし、ここで、電源スイッチが使用する機器が、スイッチの操作性に関して、特別な条件を付けた場合を考える。例えば、「この機器は、常時はオン状態で機器を使用するために、人や物が接触した程度でオフ操作が行なわれてはならない。」という条件と、「緊急時には、この機器だけを単独に電源オフする必要があるので、電源スイッチはフロントパネル側にならなければならない。」という条件と、「キースイッチのように特定の人間だけが操作できるものであってはならず、だれでも操作できなければならない。」という条件が同時に与えられた場合である。
【０００６】
即ち、電源スイッチはフロント側にあって誰でも操作できなければならないが、誤ってオフ操作をし易い構造ではいけないということである。このように相反する命題をどのように解決するかということで、従来から、ロック機構付きトグルスイッチが開発されている。図８（ａ）はロック機構付きトグルスイッチ５の斜視図、図８（ｂ）はその操作方法を示し、トグルスイッチ５は本体部６、トグルレバー７及び接続端子８からなり、トグルレバー７は上下方向に可動であり、トグルレバー７を引張ると、トグルレバー７はトグル操作が可能となり、電源スイッチのオンオフが可能となるが、トグルレバー７を離すとばね性によりトグルレバー７は元に戻ってラッチされ、トグル操作ができなくなり、電源スイッチのオンオフが不可能となる。
【０００７】
図９はロック機構付きトグルスイッチ５のロック機構の動作説明図であり、トグルレバー７の爪７ａと本体部６側の爪又は溝が噛み合うことによって、通常トグルレバー７が引っ込んだ（下がった）状態では、いずれかのトグル状態でラッチされていてトグル操作ができないが、トグルレバー７を引張って（持ち上げて）このラッチを解除すると、トグルレバー７を反転（トグル）することができるようになる。このように、ロック機構付きトグルスイッチ５を用いると、操作者が敢えてトグルレバー７を引張ってからオンオフ操作をしない限り、トグルレバー７は反転しないので、「人や物が接触した程度ではオフ操作が行なわれてはならない。」という条件を満たす。また、トグルレバー７を引張ってからトグル操作を行なうことは誰にでもできる操作であるから、「キースイッチのように特定の人間だけが操作できるものであってはならず、だれでも操作できなければならない。」という条件も満たすことになる。即ち、先の命題については、このロック機構付きトグルスイッチを用いれば、解決される訳である。
【０００８】
しかし、突起が大きく、全体的にも制御盤的イメージが強いトグルスイッチは、一般事務所環境に置かれる情報機器、通信機器等には不向きである。そこで、このような機器向けには波型ロッカースイッチを用いることを前提として、上記の命題を解決することが求められている。この命題については、本出願人においてもその解決を試みる機会が過去何回もあり、現在または将来においてもその解決が求められている。図１０（ａ），（ｂ）はその解決策の一例であり、波型ロッカースイッチ１を筐型の取付部材８に取り付ける際には、誤操作防止部材９を両者の間に介在させるものである。即ち、図１０（ａ）に示すように誤操作防止部材９は中央部９ａの水平方向両側に側部９ｂを有するコ字状に形成され、波型ロッカースイッチ１の本体部２より僅かに幅の広い中央部９ａに波型ロッカースイッチ１の本体部２よりやや小さい矩形状の挿通孔９ｃを有し、取付部材８も挿通孔９cとほぼ同じ大きさの取付孔８ａを有している。そして、図１０（ｂ）に示すように、波型ロッカースイッチ１の本体部２を挿通孔９ｃ及び取付孔８ａに嵌め込んで、一体化したものである。
【０００９】
波型ロッカースイッチ１を図１０（ｂ）に示すように取付部材８に取り付けた場合、操作する人間の指は誤操作防止部材９の中央部９ａに沿って操作される場合のみロッカースイッチ１をオンオフ操作することになり、誤って手やその他の物体がロッカースイッチ１に接触しそうになった場合には、誤操作防止部材９の両側部９ｂがガードとなって、手や物体がロッカースイッチ１に触れるのを防止する。このように、簡単な機構である誤操作防止部材９の両側部９ｂによってロッカースイッチ１への接触によるオンオフの誤操作を防止することができる。従って、出願人においては、誤操作防止部材９を情報機器、通信機器等の電源スイッチとしての波型ロッカースイッチ１に利用することが多くなっている。
【００１０】
しかしながら、このような誤操作防止部材９を用いた場合でも、人間の手がその中央部９ａに入った場合には全くガード機能を持たないため、人間が不用意に「何気なく操作してしまう。」あるいは「誤って操作してしまう。」場合にはそれをロックすることは不可能である。その意味では、今回取り上げた命題に対する完全な解答は未だ無いのが実状である。
【００１１】
この発明は上記のような課題を解決するために成されたものであり、操作者に対して二挙動を要求することにより、誤操作防止及びフールセーフの機能を有し、簡単、安価な構造の電源スイッチの誤操作防止装置を得ることを目的とする。
【課題を解決するための手段】
【００１２】
この発明の請求項１に係る電源スイッチの誤操作防止装置は、中央部の水平方向両側に側部を有するコ字状に形成され、中央部に挿通孔を有する誤操作防止部材と、スイッチ部の上側を押圧すると電源がオンになるとともに、スイッチ部の下側を押圧すると電源がオフになるように誤操作防止部材の挿通孔に挿通して取付部材の取付孔に取り付けられた波型ロッカースイッチと、誤操作防止部材の両側部に回動自在にかつ自重又はばね力により波型ロッカースイッチのオン操作部分を覆う位置となるように取り付けられた操作ロックバーとを備え、波型ロッカースイッチのオン操作時には操作ロックバーを押し上げるようにしたものである。
【００１３】
請求項２に係る電源スイッチの誤操作防止装置は、中央部の水平方向両側に側部を有するコ字状に形成され、中央部に挿通孔を有する誤操作防止部材と、スイッチ部の上側又は下側を押圧することにより電源をオンオフするように誤操作防止部材の挿通孔に挿通して取付部材の取付孔に取り付けられた波型ロッカースイッチと、誤操作防止部材の両側部に回動自在にかつ自重又はばね力により波型ロッカースイッチのオン又はオフ操作部分の一方を覆う位置となるように取り付けられた第１の操作ロックバーと、誤操作防止部材の両側部に回動自在にかつばね力により波型ロッカースイッチのオン又はオフ操作部分の他方を覆う位置となるように取り付けられた第２の操作ロックバーとを備え、波型ロッカースイッチのオン又はオフ操作時には第１又は第２の操作ロックバーを押し上げ又は押し下げるようにしたものである。
【００１４】
請求項３に係る電源スイッチの誤操作防止装置は、中央部の水平方向両側に円弧状の側部を有するコ字状に形成され、中央部に挿通孔を有する誤操作防止部材と、スイッチ部の上側又は下側を押圧することにより電源をオンオフするように誤操作防止部材の挿通孔に挿通して取付部材の取付孔に取り付けられた波型ロッカースイッチと、誤操作防止部材の両側部に回動自在にかつ該両側部といずれの位置でも係止可能に取り付けられ、波型ロッカースイッチのオン又はオフ操作部分の一方を覆う操作ロックバーとを備え、波型ロッカースイッチのオン又はオフ操作時には操作ロックバーを押し上げ又は押し下げるようにしたものである。
【００１５】
請求項４に係る電源スイッチの誤操作防止装置は、中央部の水平方向両側に側部を有するコ字状に形成され、中央部に挿通孔を有する誤操作防止部材と、スイッチ部の上側又は下側を押圧することにより電源をオンオフするように誤操作防止部材の挿通孔に挿通して取付部材の取付孔に取り付けられた波型ロッカースイッチと、誤操作防止部材の両側部に設けた上下方向のスライド溝に上下動自在にかついずれの位置でも係止可能に設けられ、波型ロッカースイッチのオン又はオフ操作部分の一方を覆うスライド式操作ロックバーとを備え、波型ロッカースイッチのオン又はオフ操作時にはスライド式操作ロックバーを押し上げ又は押し下げるようにしたものである。
【発明の効果】
【００１６】
以上のように、この発明の請求項１によれば、電源スイッチをオンする場合には、操作ロックバーの押上とスイッチ部のオン操作部分の押圧という二挙動を必要とし、誤操作防止機能及びフールセーフ機能をもたせることができる。しかも、コ字状の誤操作防止部材と操作ロックバーを付設するだけでよく、簡単、安価な構成にすることができる。
【００１７】
又、請求項２によれば、電源スイッチをオンオフする場合には、操作者は第１又は第２の操作ロックバーを押し上げ又は押し下げてから電源スイッチのオン操作部分又はオフ操作部分を押圧しなければならず、必ず二挙動を必要とし、誤操作防止機能及びフールセーフ機能を備える。又、コ字状の誤操作防止部材及び第１、第２の操作ロックバー等を付設するだけで良いので、構成が簡単、安価となる
請求項３によれば、オンオフ操作に際して、操作ロックバーを押し上げ又は押し下げた後、オン操作部分又はオフ操作部分を押圧するようにしており、二挙動を必要とするので、誤操作防止機能及びフールセーフ機能を備えている。又、コ字状の誤操作防止部材及び操作ロックバーを付設するだけでよいので、簡単、安価な構成とすることができる。
【００１８】
請求項４によれば、オンオフ操作に際して、スライド式操作ロックバーを押し上げ又は押し下げた後、オン操作部分又はオフ操作部分を押圧するようにしており、二挙動を必要とするので、誤操作防止機能及びフールセーフ機能を備えている。又、誤操作防止部材及びスライド式操作ロックバーを付設するだけでよいので、簡単、安価な構成とすることができる。
【発明を実施するための最良の形態】
【００１９】
実施最良形態１
以下、この発明を実施するための最良の形態を図面とともに説明する。図１及び図２（ａ）〜（ｃ）はこの発明の実施最良形態１による電源スイッチの誤操作防止装置の分解斜視図及び動作説明図である。誤操作防止部材9は中央部９ａの水平方向両側に側部９ｂを有するコ字状に形成されるとともに、中央部９ａに挿通孔９ｃ（図１０参照）を有する。波型ロッカースイッチ１はスイッチ部３の上側のオン操作部分３ａを押圧すると電源がオンになるとともに、スイッチ部３の下側オフ操作部分３ｂを押圧すると電源がオフとなるように誤操作防止部材9の挿通孔９ｃに挿通して取付部材８の取付孔８ａに取り付ける（図１０参照）。
【００２０】
１０は中央部１０ａの両側に側部１０ｂを有するコ字状に形成された操作ロックバーであり、操作ロックバー１０の側部１０ｂの先端には孔１０ｃが設けられ、誤操作防止部材９の両側部９ｂのやや上位にも孔９ｄが設けられ、孔１０ｃ，９ｄにセンターピン１１を挿通して、操作ロックバー１０を誤操作防止部材９の両側部９ｂに回動自在に取り付ける。操作ロックバー１０は自重により波型ロッカースイッチ１のスイッチ部３の上側のオン操作部分３ａを覆う位置で誤操作防止部材9の側部９ｂの縁部と係合して停止する。
【００２１】
次に、上記構成の動作を図２（ａ）〜（ｃ）により説明する。まず、図２（ａ）に示すように、操作ロックバー１０は自重により波型ロッカースイッチ１のスイッチ部３のオン操作部分３ａを覆う位置に停止しており、操作者がオン操作しようとしてもその指１２がオン操作部分３ａに触れることができず、オン操作することができない。次に、波型ロッカースイッチ１をオン操作する場合には、図２（ｂ）に示すように、指１２で操作ロックバー１０を矢印１３の方向に押し上げた後、スイッチ部３の上側のオン操作部分３ａを指１２で矢印１４のように押圧して電源スイッチをオンにする。即ち、操作者はオン操作のために、操作ロックバー１０の押上とオン操作部分３ａの押圧という二挙動を行なわねばならず、誤操作は防止される。その後、図２（ｃ）に示すように、操作ロックバー１０を自重により所定の位置まで下げる。この場合、スイッチ部３の下側のオフ操作部分３ｂの押圧は矢印１５に示すように可能であり、オフ操作を行なうことができる。
【００２２】
以上のように、実施最良形態１においては、電源スイッチのオン操作においては、二挙動を必要とし、誤操作防止機能及びフールセーフ機能を持たせることができる。しかも、簡単、安価な構成とすることができる。
【００２３】
又、電子機器装置に突起部が少なく、美的にも優れていて、操作感もやさしく、比較的安価な波型ロッカースイッチ１を適用した上で、「この機器は、常時はオン状態で使用するために、人や物が接触した程度でオフ操作が行なわれてはならない。」という命題と、「緊急時には、この機器だけを単独に電源オフにする必要があるので、電源スイッチはフロントパネル側になければならない。」という命題と、「キースイッチのように特定の人間だけが操作できるものであってはならず、だれでも操作できなければならない。」という命題を満足させることができる。
【００２４】
なお、誤操作防止部材９、操作ロックバー１０及びセンターピン１１は金属により形成してもよいし、樹脂モールドにより形成してもよい。これらを金属により形成した場合には、センターピン１１はビスや段付きビスにより形成してもよい。又、これらを樹脂モールドにより形成する場合には、センターピン１１を独立した部材にしてもよいし、操作ロックバー１０の形成上、孔１０ｃにセンターピン１１を嵌め込んで一体に形成し、樹脂の柔軟性を利用して操作ロックバー１０を開き気味にし、センターピン１１に相当する突起部を誤操作防止部材９の孔９ｄに嵌め込んでしまえば同等の機構を構成することができる。
【００２５】
又、誤操作防止部材９を自重により波型ロッカースイッチ１のオン操作部分３ａを覆う位置まで回動するようにしたが、誤操作防止部材９の側部９ｂとの摩擦により自重ではオン操作部分３ａを覆う位置まで回動しない場合には、ばね（図示せず）を設けて、ばねの力によりオン操作部分３ａを覆う位置まで回動させるようにしてもよい。
【００２６】
実施最良形態２
図３（ａ），（ｂ）は実施最良形態２による電源スイッチの誤操作防止装置のオフ操作時の斜視図及びオンオフ操作ロック時の斜視図である。１６は中央部１６ａの両側に側部１６ｂを有するコ字状に形成された第２の操作ロックバーであり、第２の操作ロックバー１６の側部１６ｂの先端には図示しない孔が設けられ、誤操作防止部材９の両側部９ｂにも孔９ｄより下位に図示しない孔が設けられ、これらの図示しない二つの孔にセンターピン１７を挿通して、第２の操作ロックバー１６を操作ロックバー（この場合、第１の操作ロックバーとなる。）１０の下位において誤操作防止部材９の両側部９ｂに回動自在に取り付ける。又、第２の操作ロックバー１６は図３（ｂ）に示すようにスイッチ部３の下側のオフ操作部分３ｂを覆う位置に停止させるが、自重ではこの位置に停止しないので、図３（ａ）に示すように、センターピン１７を介してばね１８を誤動作防止部材９の側部９ｂと第２の操作ロックバー１６との間に設けて、ばね１８の力により停止させる。その他の構成は実施最良形態１と同様である。
【００２７】
次に、上記構成の動作について説明する。図３（ｂ）では、波型ロッカースイッチ１はオン状態となっており、ここで、図３（ａ）のように、第２の操作ロックバー１６を指１２で矢印１９のように押し下げて、スイッチ部３のオフ操作部分３ｂを矢印２０のように押圧すると、波型ロッカースイッチ１はオフとなる。又、ここで、指１２を離すと、第２の操作ロックバー１６はばね１８の力により矢印２１に示すように回動し、再びスイッチ部３のオフ操作部分３ｂを覆う。又、オフ状態の波型ロッカースイッチ１をオンする際には、スイッチ部３のオン操作部分３ａを覆っている第１の操作ロックバー１０を指１２で押し上げて、スイッチ部３のオン操作部分３ａを指１２で押圧することにより電源スイッチはオンされる。
【００２８】
実施最良形態２においては、電源スイッチである波型ロッカースイッチ１のオン操作部分３ａ及びオフ操作部分３ｂを第１及び第２の操作ロックバー１０，１６により覆っており、電源スイッチをオンオフ操作する場合には、操作者は操作ロックバー１０，１６を押し上げ又は押し下げてからオン操作部分３ａ又はオフ操作部分３ｂを押圧しなければならず、必ず二挙動を必要とするので、誤操作防止機能及びフールセーフ機能を有することになる。又、誤操作防止部材９及び操作ロックバー１０，１６等により構成されるので、構成が簡単、安価となる。
【００２９】
なお、実施最良形態２においては、スイッチ部３の上側部分をオン操作部分３ａとし、スイッチ部３の下側部分をオフ操作部分３ｂとしたが、スイッチ部３の下側部分をオン操作部分３ａとし、スイッチ部３の上側部分をオフ操作部分３ｂとしてもよい。
【００３０】
実施最良形態３
図４及び図５（ａ），（ｂ）は実施最良形態３による電源スイッチの誤操作防止装置の分解斜視図及び動作説明図である。誤操作防止部材２２は中央部２２ａの水平方向両側に円弧状の側部２２ｂを有するコ字状に形成されるとともに、中央部２２ａに図示しない挿通孔を有する。波型ロッカースイッチ１はスイッチ部３の上側のオン操作部分３ａを押圧すると電源がオンになるとともに、スイッチ部３の下側のオフ操作部分３ｂを押圧すると電源がオフとなるように誤操作防止部材２２の挿通孔に挿通して取付部材８の取付孔８ａに取り付ける（図１０参照）。
【００３１】
２３は中央部２３ａの両側に側部２３ｂを有するコ字状に形成された操作ロックバーであり、側部２３ｂの先端には孔２３ｃが設けられ、誤操作防止部材２２の両側部２２ｂの中央にも孔２２ｄが設けられ、孔２３ｃ，２２ｄにセンターピン２４を挿通して、操作ロックバー２３を誤操作防止部材２２の両側部２２ｂに回動自在に取り付ける。この場合、操作ロックバー２３と側部２２ｂの円弧状の周縁部との間の摩擦はいずれの位置でも大きく、いずれの位置でも係止可能となっている。
【００３２】
次に、上記構成の動作を図５（ａ），（ｂ）により説明する。図５（ａ）は波型ロッカースイッチ１をオフ操作した状態であり、操作者がオン操作しようとしても、操作ロックバー２３がスイッチ部３のオン操作部分３ａを覆っており、オン操作をすることができない。オン操作をする場合には、まず操作ロックバー２３を指１２で矢印２５に示すように押し下げた後、スイッチ部３のオン操作部分３ａを押圧して電源スイッチをオンする。この状態が図５（ｂ）であり、この状態では操作ロックバー２３がスイッチ部３のオフ操作部分３ｂを覆っており、オフ操作することができない。オフ操作をするには、まず指１２で操作ロックバー２３を矢印２６の方向に押し上げた後、スイッチ部３のオフ操作部分３ｂを押圧して電源スイッチをオフする。
【００３３】
実施最良形態３においては、オンオフ操作に際して、操作ロックバー２３を押し上げ又は押し下げた後、オン操作部分３ａ又はオフ操作部分３ｂを押圧するようにしており、二挙動を必要とするので、誤操作防止機能及びフールセーフ機能を備えている。又、コ字状の誤操作防止部材２２及び操作ロックバー２３を付設するだけでよいので、簡単、安価な構成とすることができる。
【００３４】
なお、誤操作防止部材２２、操作ロックバー２３及びセンターピン２４は金属により形成してもよいし、樹脂モールドにより形成してもよい。これらを金属により形成した場合には、センターピン２４はビスや段付きビスにより形成してもよい。又、これらを樹脂モールドにより形成する場合には、センターピン２４を独立した部材にしてもよいし、操作ロックバー２３の形成上、孔２３ｃにセンターピン２４を嵌め込んで一体に形成し、樹脂の柔軟性を利用して操作ロックバー２３を開き気味にし、センターピン２４に相当する突起部を誤操作防止部材２２の孔２２ｄに嵌め込んでしまえば同等の機構を構成することができる。又、スイッチ部３の上側部分をオン操作部分３ａとし、スイッチ部３の下側部分をオフ操作部分３ｂとしたが、スイッチ部３の下側部分をオン操作部分３ａとし、スイッチ部３の上側部分をオフ操作部分３ｂとしてもよい。
【００３５】
実施最良形態４
図６（ａ）は実施最良形態４による電源スイッチの誤操作防止装置の分解斜視図、図６（ｂ），（ｃ）はその動作説明図であり、２７は中央部２７ａの水平方向両側に側部２７ｂを有するコ字状に形成され、中央部２７ａに図示しない挿通孔
を有する誤操作防止部材である。波型ロッカースイッチ１はスイッチ部３の上側のオン操作部分３ａを押圧すると電源がオンになるとともに、スイッチ部３の下側のオフ操作部分３ｂを押圧すると電源がオフとなるように誤操作防止部材２７の挿通孔に挿通して取付部材８の取付孔８ａに取り付ける（図１０参照）。
【００３６】
２８は中央部２８ａの両側に側部２８ｂが設けられるとともに、側部２８ｂの先端に内側に突出した突出部２８ｃが形成されたスライド式操作ロックバーであり、誤操作防止部材２７の両側部２７ｂには上下方向のスライド溝２７ｄが形成され、スライド式操作ロックバー２８の中央部２８ａを矢印２９に示すように反らせ、突出部２８ｃを矢印３０に示すようにスライド溝２７ｄに嵌合する。これにより、スライド式操作ロックバー２８をスライド溝２７ｄに上下動自在にかついずれの位置でも係止可能に取り付ける。
【００３７】
次に、上記構成の動作を図６（ｂ），（ｃ）により説明する。図６（ｂ）は波型ロッカースイッチ１をオフ操作した状態であり、操作者がオン操作しようとしても、スライド式操作ロックバー２８がスイッチ部３のオン操作部分３ａを覆っており、オン操作をすることができない。オン操作をする場合には、まずスライド式操作ロックバー２８を指１２で矢印３１に示すように押し下げた後、スイッチ部３のオン操作部分３ａを押圧して電源スイッチをオンする。この状態が図６（ｃ）であり、この状態ではスライド式操作ロックバー２８がスイッチ部３のオフ操作部分３ｂを覆っており、オフ操作することができない。オフ操作をするには、まず指１２でスライド式操作ロックバー２８を矢印３２の方向に押し上げた後、スイッチ部３のオフ操作部分３ｂを押圧して電源スイッチをオフする。
【００３８】
実施最良形態４においては、オンオフ操作に際して、スライド式操作ロックバー２８を押し上げ又は押し下げた後、オン操作部分３ａ又はオフ操作部分３ｂを押圧するようにしており、二挙動を必要とするので、誤操作防止機能及びフールセーフ機能を備えている。又、誤操作防止部材２７及びスライド式操作ロックバー２８を付設するだけでよいので、簡単、安価な構成とすることができる。
【００３９】
なお、誤操作防止部材２７及びスライド式操作ロックバー２８は金属により形成してもよいし、樹脂モールドにより形成してもよいが、スライド式操作ロックバー２８はある程度柔軟性を持たせるために誦しモールドにより形成することが望ましい。又、スイッチ部３の上側部分をオン操作部分３ａとし、スイッチ部３の下側部分をオフ操作部分３ｂとしたが、スイッチ部３の下側部分をオン操作部分３ａとし、スイッチ部３の上側部分をオフ操作部分３ｂとしてもよい。
【図面の簡単な説明】
【００４０】
【図１】この発明の実施最良形態１による電源スイッチの誤操作防止装置の分解斜視図である。
【図２】実施最良形態１による電源スイッチの誤操作防止装置の動作説明図である。
【図３】実施最良形態２による電源スイッチの誤操作防止装置のオフ操作時の斜視図及びオンオフ操作ロック時の斜視図である。
【図４】実施最良形態3による電源スイッチの誤操作防止装置の分解斜視図である。
【図５】実施最良形態3による電源スイッチの誤操作防止装置の動作説明図である。
【図６】実施最良形態４による電源スイッチの誤操作防止装置の分解斜視図及び動作説明図である。
【図７】従来の波型ロッカースイッチの斜視図、平面図、正面図及び側面図である。
【図８】従来のロック機構付きトグルスイッチの斜視図及び操作方法の説明図である。
【図９】従来のロック機構付きトグルスイッチのロック機構の斜視図及び操作方法の説明図である。
【図１０】従来の電源スイッチの誤操作防止装置の分解斜視図及び組立後の斜視図である。
【符号の説明】
【００４１】
１…波型ロッカースイッチ
３…スイッチ部
３ａ…オン操作部分
３ｂ…オフ操作部分
９，２２，２７…誤操作防止部材
９ａ，１６ａ，２２ａ，２７ａ…中央部
９ｂ，１０ｂ，１６ｂ，２２ｂ，２３ｂ，２７ｂ…側部
９ｃ…挿通孔
１０，１６，２３…操作ロックバー
１１，１７，２４…センターピン
１８…ばね
２７ｄ…スライド溝
２８…スライド式操作ロックバー
２８ｃ…突出部
【図１】
2006216484.tif 000003
【図２】
2006216484.tif 000004
【図３】
2006216484.tif 000005
【図４】
2006216484.tif 000006
【図５】
2006216484.tif 000007
【図６】
2006216484.tif 000008
【図７】
2006216484.tif 000009
【図８】
2006216484.tif 000010
【図９】
2006216484.tif 000011
【図１０】
2006216484.tif 000012